(57)【特許請求の範囲】
【請求項１】
背もたれとその上に配置されたオプション品とを備えており、
前記背もたれは、手前に位置したフロントサポートとその後ろに位置したバックサポートとを有していて、前記フロントサポートは前記バックサポートに対して着脱可能であり、前記フロントサポートの上端部とバックサポートの上端部との間には、左右横長の上部空所が少なくとも上向きに開口するように形成されている構成であって、
前記オプション品に、前記背もたれの上部空所に入り込む下向きの足部を設けてこの足部を前記バックサポートの上端部にビスで固定しており、かつ、前記足部のうち前記上部空所に位置した部分が前記バックサポートに嵌合している、
椅子。
【請求項２】
前記バックサポートは、左右サイドフレームとアッパーフレームとロアフレームとを有する前後開口の形態であり、前記アッパーフレームに前向きに開口した切欠き部を形成することにより、前記上部空所が上下に開口した状態に形成されており、このためフロントサポートとアッパーフレームとは前記上部空所の左右両側において前後に重なり合っており、前記オプション品の足部を前記アッパーフレームに固定している、
請求項１に記載した椅子。
【請求項３】
前記オプション品の足部は、前記フロントサポートを取り外すことで手前から回転操作できるビスで前記バックサポートに固定されており、更に、前記オプション品の足部に設けた後ろ向きの突部と、前記アッパーフレームに設けた前向き開口溝とが嵌合している、
請求項２に記載した椅子。
【請求項４】
前記足部の固定に金具が使用されており、前記金具は、前記足部に後ろから重なる第１部分と、前記バックサポートのアッパーフレームに手前から重なる第２部分とを有しており、前記足部に貫通した第１ビスを前記第１部分に設けた雌ねじ穴にねじ込んでいる一方、前記金具の第２部分には第２ビスが貫通する穴が空いており、前記バックサポートのアッパーフレームに、前記第２ビスがねじ込まれるナットを保持するポケット部を設けている、
請求項２又は３に記載した椅子。
【請求項５】
背もたれとその上に配置されたオプション品とを備えており、
前記背もたれは、手前に位置したフロントサポートとその後ろに位置したバックサポートとを有していて、前記フロントサポートは前記バックサポートに対して着脱可能であり、前記フロントサポートの上端部とバックサポートの上端部との間には、左右横長の上部空所が少なくとも上向きに開口するように形成されており、
前記オプション品に、前記背もたれの上部空所に入り込む下向きの足部を設けてこの足部を前記バックサポートの上端部に固定しており、
前記バックサポートへの足部の固定が、前記フロントサポートを取り外してから固定操作するか、又は、下方から工具で固定操作するか、若しくは背もたれの外周から工具で固定操作することによって行われている、
という構成であって、
前記バックサポートは、左右サイドフレームとアッパーフレームとロアフレームとを有する前後開口の形態であり、前記アッパーフレームに前向きに開口した切欠き部を形成することで前記上部空所が上下に開口した状態に形成されており、このためフロントサポートとアッパーフレームとは前記上部空所の左右両側において前後に重なり合っており、前記オプション品の足部を前記アッパーフレームに固定しており、
かつ、支柱を有するハンガーが、前記バックサポートにおけるアッパーフレームの左右中間部をぐるりと抱持するホルダー装置を介して取付け可能である一方、
前記オプション品の足部をホルダー装置の左右両側に分離配置して左右足部の間をセンター空間と成すと共に、前記オプション品の下端部に、前記アッパーフレームにホルダー装置を取り付けることを許容するためのセンター切欠き部が形成されており、更に、前記センター切欠き部を塞ぐカバーが備えられている、
椅子。
【請求項６】
背もたれとその上に配置されたオプション品とを備えており、
前記背もたれは、手前に位置したフロントサポートとその後ろに位置したバックサポートとを有していて、前記フロントサポートは前記バックサポートに対して着脱可能であり、前記フロントサポートの上端部とバックサポートの上端部との間には、左右横長の上部空所が少なくとも上向きに開口するように形成されており、
前記オプション品に、前記背もたれの上部空所に入り込む下向きの足部を設けてこの足部を前記バックサポートの上端部に固定しており、
前記バックサポートへの足部の固定が、前記フロントサポートを取り外してから固定操作するか、又は、下方から工具で固定操作するか、若しくは背もたれの外周から工具で固定操作することによって行われている、
という構成であって、
前記オプション品の足部は、前記フロントサポートを取り外すことで手前から回転操作できるビスで前記バックサポートに固定されており、
かつ、支柱を有するハンガーが、前記バックサポートの左右中間部をぐるりと抱持するホルダー装置を介して取付け可能である一方、
前記オプション品の足部をホルダー装置の左右両側に分離配置して左右足部の間をセンター空間と成すと共に、前記オプション品の下端部に、前記バックサポートにホルダー装置を取り付けることを許容するためのセンター切欠き部が形成されており、更に、前記センター切欠き部を塞ぐカバーが備えられている、
椅子。
【発明の詳細な説明】
【技術分野】
【０００１】
本願発明は、背もたれにショルダーレスト又はヘッドレストのようなオプション品を取り付けた椅子に関するものである。なお、ショルダーレストとヘッドレストとの違い、及び背もたれとショルダーレストとの違いは必ずしも明確でない場合がある。例えば、使用者の身長が高い場合はショルダーレストを背もたれと認識する場合もある。本願発明では、標準的な身長の成人が使用する場合を想定して、ショルダーレストとヘッドレストとに区別している。
【背景技術】
【０００２】
背もたれにオプション品としてのヘッドレストを取り付けることは、従来から広く行われている。ヘッドレストの取り付け構造の単純な形態としては、車両用に多用されているように、ヘッドレストから棒状等の足体を下向きに突設し、これを背もたれに設けた上向き開口の支持穴に差し込むことが行われている。
【０００３】
ヘッドレストが昇降自在に取り付くヘッドレストフレームを背もたれに取り付けることも提案されており、その例として特許文献１には、ヘッドレストフレームの左右足部を、背もたれフレームの上端に設けた支持穴に差し込み挿入することが開示されている。また、例えば特許文献２に開示されているように、背もたれを構成するバックフレームにホルダーを介してヘッドレストを取り付けることも行われている。
【０００４】
また、ショルダーレスト（肩当て）を背もたれに取り付けることも行われており、その例として本願出願人の出願に係る特許文献３には、上向き開口の凹所が存在している背もたれの存在に着目し、ショルダーレストに設けた足部を背もたれの凹所に上方から挿入して係止することが開示されている。
【０００５】
背もたれを下部背もたれと上部背もたれとに区分し、上部背もたれを下部背もたれに連結することも提案されている。その例として特許文献４には、下部背もたれの上端に板ばねを介して上部背もたれを連結し、上部背もたれを下部背もたれに対して屈曲させることが開示されている。但し、この特許文献４は背もたれのベンディング性を高めるための工夫であり、オプションとしてのショルダーレストやヘッドレストを背もたれに取り付けることに適用できるものではない。
【先行技術文献】
【特許文献】
【０００６】
【特許文献１】特開２００７−３０１０２４号公報
【特許文献３】特開２００８−４９０８１号公報
【特許文献３】特開２００１−３４０１５９号公報
【特許文献４】特開２００２−３５５１４０号公報
【発明の概要】
【発明が解決しようとする課題】
【０００７】
さて、ショルダーレストもヘッドレストも後付け可能なオプション品であり、従って、椅子としては、これらショルダーレストやヘッドレストを取り付ける態様と取り付けない態様とがある。そして、従来は、ショルダーレストにしてもヘッドレストにしても、背もたれには分解等の手を加えずに取り付けるという考え方に基づいており、このため、足を差し込む方式の場合は背もたれの上面に支持穴が空いている。
【０００８】
しかし、背もたれに支持穴が空いていると、ヘッドレストの不使用時には支持穴が露出して体裁が悪いという問題がある。これに対しては、不使用時に支持穴をキャップで塞げばよいと考えられるが、この場合は、キャップを紛失しやすい等の他の問題が生じる。
【０００９】
また、ショルダーレストやヘッドレストを取り付けるための足部やフレーム類、或いはホルダー類が人目に触れないと背部全体がスッキリして美観に優れると言えるが、特許文献１，２ではこのような配慮はなされていない。他方、特許文献３はショルダーレストが背もたれに上から重なっており、足部は背もたれの空所に隠れているため、背部全体としてスッキリして美観に優れている。
【００１０】
本願発明はこのような現状に鑑み成されたものであり、ショルダーレストやヘッドレストを、美観に優れた状態で強固に固定可能にすること等を目的とするものである。
【課題を解決するための手段】
【００１１】
本願発明は、背もたれの上にオプション品を重ね配置している椅子に関する。そして、請求項１では、前記背もたれは、手前に位置したフロントサポートとその後ろに位置したバックサポートとを有していて、前記フロントサポートは前記バックサポートに対して着脱可能であり、前記フロントサポートの上端部とバックサポートの上端部との間には、左右横長の上部空所が少なくとも上向きに開口するように形成されている構成であって、
前記オプション品に、前記背もたれの上部空所に入り込む下向きの足部を設けてこの足部を前記バックサポートの上端部にビスで固定しており、かつ、前記足部のうち前記上部空所に位置した部分が前記バックサポートに嵌合している。
【００１２】
請求項２の発明は、請求項１において、前記バックサポートは、左右サイドフレームとアッパーフレームとロアフレームとを有する前後開口の形態であり、前記アッパーフレームに前向きに開口した切欠き部を形成することにより、前記上部空所が上下に開口した状態に形成されており、このためフロントサポートとアッパーフレームとは前記上部空所の左右両側において前後に重なり合っており、前記オプション品の足部を前記アッパーフレームに固定している。
【００１３】
請求項３の発明は、請求項２において、前記オプション品の足部は、前記フロントサポートを取り外すことで手前から回転操作できるビスで前記バックサポートに固定されており、更に、前記オプション品の足部に設けた後ろ向きの突部と、前記アッパーフレームに設けた前向き開口溝とが嵌合している。
【００１４】
請求項４の発明は、請求項２又は３において、前記足部の固定に金具が使用されており、前記金具は、前記足部に後ろから重なる第１部分と、前記バックサポートのアッパーフレームに手前から重なる第２部分とを有しており、前記足部に貫通した第１ビスを前記第１部分に設けた雌ねじ穴にねじ込んでいる一方、前記金具の第２部分には第２ビスが貫通する穴が空いており、前記バックサポートのアッパーフレームに、前記第２ビスがねじ込まれるナットを保持するポケット部を設けている。
【００１５】
請求項５の発明は、背もたれとその上に配置されたオプション品とを備えており、
前記背もたれは、手前に位置したフロントサポートとその後ろに位置したバックサポートとを有していて、前記フロントサポートは前記バックサポートに対して着脱可能であり、前記フロントサポートの上端部とバックサポートの上端部との間には、左右横長の上部空所が少なくとも上向きに開口するように形成されており、
前記オプション品に、前記背もたれの上部空所に入り込む下向きの足部を設けてこの足部を前記バックサポートの上端部に固定しており、
前記バックサポートへの足部の固定が、前記フロントサポートを取り外してから固定操作するか、又は、下方から工具で固定操作するか、若しくは背もたれの外周から工具で固定操作することによって行われている、
という基本構成において、
第１の特徴として、「前記バックサポートは、左右サイドフレームとアッパーフレームとロアフレームとを有する前後開口の形態であり、前記アッパーフレームに前向きに開口した切欠き部を形成することで前記上部空所が上下に開口した状態に形成されており、このためフロントサポートとアッパーフレームとは前記上部空所の左右両側において前後に重なり合っており、前記オプション品の足部を前記アッパーフレームに固定しており」、の構成を有し、
第２の特徴として、「支柱を有するハンガーが、前記バックサポートにおけるアッパーフレームの左右中間部をぐるりと抱持するホルダー装置を介して取付け可能である一方、  前記オプション品の足部をホルダー装置の左右両側に分離配置して左右足部の間をセンター空間と成すと共に、前記オプション品の下端部に、前記アッパーフレームにホルダー装置を取り付けることを許容するためのセンター切欠き部が形成されており、更に、前記センター切欠き部を塞ぐカバーが備えられている」、の構成を有している。
請求項６の発明は、請求項５と同じ基本構成及び第２の特徴に加えて、「前記オプション品の足部は、前記フロントサポートを取り外すことで手前から回転操作できるビスで前記バックサポートに固定されている」、という構成を備えている。
【発明の効果】
【００１６】
本願発明では、オプション品は背もたれに上から重なっていて足部は背もたれの内部に隠れているため、全体としてスッキリして美観に優れている。また、元々背もたれに形成されている上部空所を利用してこれに足部を挿入するものであるため、オプション品の不使用状態において椅子の美観が悪化することもない。
【００１７】
そして、請求項１〜４では、足部の固定操作（固定作業）がフロントサポートを取り外した状態で行え、各種のファスナ（締結具）を使用した固定や前後方向の噛み合わせなどの各種の固定方式を採用できるため、単なる挿入方式に比べてしっかりと固定することができ、しかも、いわばフロントサポートが足部に対するカバーの機能を果たすため、ショルダーレスト又はヘッドレストを取付けない場合にカバー類やキャップ類が必要になることもない。
【００１８】
請求項５，６のうち、下方から工具で固定操作する方式と背もたれの外周から工具で固定操作する方式とを採用した場合も、ビスのようなファスナを使用して足部をバックサポートに強固に固定することができる。
【００１９】
請求項２の発明によると、バックサポートはフレーム構造であるため背部は全体として軽快な感じになる。そして、バックサポートは強度メンバーであるため、バックサポートのアッパーフレームに足部を固定することで、オプション品を背もたれに強固に取り付けることができる。また、椅子の使用状態でアッパーフレームの下面は視認できないため、例えばアッパーフレームに下方からビスを挿通する穴が空いていても美観の問題はない。従って、下方から工具で固定操作して足部を固定する方式を、美観の問題を招来することなく採用できる。
【００２０】
足部の固定手段としては様々のものを採用できるが、ビスを使用すると、足部を強固に固定することが確実ならしめられる。この場合、請求項４の構成を採用すると、取り付け強度を一層向上できる。従って、オプション品若しくはバックサポートが樹脂製である場合に特に好適である。
【００２１】
背もたれにオプション品としてハンガーを取り付けることもあるが、請求項５，６の発明によると、ショルダーレスト又はヘッドレストとハンガーとを同時に取り付けることができるため便利であり、しかも、ハンガーの不使用時には、ショルダーレスト又はヘッドレストの下端部に設けたセンター切欠き部はカバーで塞ぐことができるため、ハンガーの不使用時に美観が悪化することを防止できる。
【図面の簡単な説明】
【００２２】
【図１】本願発明を適用した椅子の外観図で、（Ａ）は斜視図、（Ｂ）は側面図である。
【図２】椅子を上方から見た斜視図である。
【図３】（Ａ）（Ｂ）とも分離斜視図である。
【図４】背板を裏返してバックフレームと並べた部分斜視図である。
【図５】図４の部分拡大図である。
【図６】図４の上部の部分拡大図である。
【図７】ショルダーレストを分離した状態及び取り付けた状態での正面図である。
【図８】ハンガーとショルダーレストとを分離して表示すると共に、ショルダーレストを取り付けた状態の背面図である（ハンガーのみは正面図になっている。）。
【図９】図７のIX-IX 視断面図である。
【図１０】要部の分離正面図である。
【図１１】要部の分離斜視図である。
【図１２】ショルダーレストを構成するショルダーフレームの図で、（Ａ）は後ろから見た斜視図、（Ｂ）は前下方から見た斜視図である。
【図１３】（Ａ）はハンガーを取り付けた状態での縦断側面図、（Ｂ）はハンガーの取り付け態様を示す分離断面図である。
【図１４】（Ａ）はカバーを取り付けた状態での縦断側面図、（Ｂ）はカバーの斜視図である。
【図１５】カバーとショルダーフレームとの分離斜視図である。
【発明を実施するための形態】
【００２３】
次に、本願発明の実施形態を図面に基づいて説明する。本実施形態は、事務用等に多用される回転椅子に適用している。以下の説明及び請求項では、方向を特定するため「前後」「左右」の文言を使用しているが、この文言は、椅子に普通の姿勢で着座した人の向きを基準にしている。正面視は、着座者と相対向した方向から見た状態である。
【００２４】
【００２５】
(1).椅子の概略
図１，２に示すように、椅子は、脚支柱（ガスシリンダ）１のみを表示した脚装置、脚支柱１の状態に固定したベース２、ベース２の上方に配置した座３、座３の後ろに配置された背もたれ４を有している。背もたれ４は、バックサポートの一例としてのバックフレーム５と、フロントサポートの一例としてバックフレーム５の前面に取り付けた背板（インナーシェル）とを有しており、図１（Ａ）に示すように、背板６の前面にはメッシュ等の表皮材７を張っている。バックフレーム５は、ベース２に後傾動自在に連結されている。
【００２６】
図３に示すように、バックフレーム５は、その左右側部を構成する上下長手の左右サイドフレーム８と、左右サイドフレーム８の上端に繋がった横長のアッパーフレーム９と、左右サイドフレーム８の下端に繋がった左右長手のロアフレーム１０とを有しており、全体として略四角形で前後に開口した枠状になっている。更に、左右サイドフレーム８の下端には、ベース２の左右外面に向けて前向きに延びるサイドアーム１１が一体に形成されている。
【００２７】
バックフレーム５は、ポリプロピレンやナイロン樹脂のような合成樹脂を材料にした成形品を使用しているが、アルミダイキャスト品を採用することも可能である。また、例えばサイドアーム１１を別部材にするなど、複数の部材で構成することも可能である。
【００２８】
例えば図２に明示するように、バックフレーム５を構成するアッパーフレーム９は、その左右側部に背板６が重なるように平面視で大きく前向き開口した状態に形成されている。換言すると、アッパーフレーム９には、その左右両側部を残して前向き開口の切り開き部１２が形成されており、このため、アッパーフレーム９と背板６との間には、左右横長で上下に開口した上部空間１３が空いている。
【００２９】
従って、バックフレーム５のアッパーフレーム９は、上部空間１３の箇所は平面視で前後幅が小さい薄肉部となり、上部空間１３の左右両側の部分は平面視で前後幅が大きい肉厚部９ａになっている。バックフレーム５のアッパーフレーム９は前向きに開口した溝形形状になっている。
【００３０】
そして、例えば図７に示すように、背もたれ４には、ショルダーレスト１４が重ねた状態に取り付けられる。ショルダーレスト１４は左右に分離した２つの足部１５を有しており、足部１５を背もたれ４の上部空間１３に挿入し、足部１５をバックフレーム５のアッパーフレーム９に固定している。ショルダーレスト１４の取り付け・取り外しは、背板６を取り外して行われる。従って、背板６はバックフレーム５に対して着脱自在である。そこで、ショルダーレスト１４の取り付け構造の説明に先立って、背板６とバックフレーム５との構造を説明する。
【００３１】
(2).背板及びバックフレーム
背板６はポリプロピレンのような合成樹脂を材料にした成形品であり、図３に示すように、上下長手の左右のサイドメンバー１６と、サイドメンバー１６の上端間に一体に繋がったアッパーメンバー１７と、左右サイドメンバー１６の下端に一体に繋がったロアメンバー１８とで略四角形の外形に構成され、更に、その内部には、左右サイドメンバー１６に繋がった帯状板１９が多段に配置されている。
【００３２】
例えば図４に示すように、バックフレーム５のサイドフレーム８は前向きに開口した溝形になっている。アッパーフレーム９のうち、背板６のアッパーメンバー１７と重なる支持部も、前向き開口の溝形になっている。他方、背板６の各メンバー１６，１７，１８は、後ろ向きに開口した溝形になっている。
【００３３】
図５〜７に示すように、バックフレーム５のサイドフレーム８は、内壁２１と外壁２２とを有して前向き開口の溝形に形成されている。背板６はランバーサポート部を有するように側面視で前向き凸状に湾曲しており、サイドメンバー１６のうち側面視で後傾した部分の大部分が、バックフレーム５のサイドフレーム８に重なっている。そして、背板６のサイドメンバー１６とバックフレーム５のサイドフレーム８とは、互いに重なり合う部分に設けた係合手段によって離反不能に保持されている。この点を次に説明する。
【００３４】
例えば図４〜図７に示すように、背板６におけるサイドメンバー１６の内面には、上下長手で板状の雄形嵌合部２３が上下に離れて３個形成されている。他方、サイドフレーム８の内部には、背板６の雄形嵌合部２３を左右から挟む２枚のリブより成る雌形嵌合部２４が３対形成されている。
【００３５】
背板６におけるサイドメンバー１６の溝内には、側面視で下向き鉤形の第１係合爪２５が上下に離反して２個形成されている一方、バックフレーム５のサイドフレーム８には、第１係合爪２５と噛み合う上向き鉤形の第２係合爪２６が、上下に離反して２個形成されている。これら係合爪２５，２６の噛み合いにより、背板６はバックフレーム５に対して前向き移動不能に保持されている。
【００３６】
図４，図６に示すように、アッパーフレーム９には、上部空間１３の左右端部を構成するポケット部２７が形成されている。ポケット部２７には、上部空間１３に向いて開口したナット挿入穴２８と手前に開口したビス挿通穴２９とを設けている。ポケット部２７には前向きの補助リブ３０が形成されており、更に、補助リブ３０に、サイドフレーム８の内壁２２と連続する上係合片３１が形成されており、上係合片３１に上係合穴３２が空いている。
【００３７】
他方、背板６のアッパーメンバー１７には、上係合穴３２に上から嵌まり係合する上係合爪３３が形成されている。また、アッパーメンバー１７のうち上係合爪３３の内側には、サイド仕切り板４４が形成されている。
【００３８】
背板６の取付けは、雌雄嵌合部２３，２４を嵌め合わせてから、背板６を下向きにずらして第１係合爪２５と第２係合爪２６とを噛み合わせると、いう手順で行われる。係合爪２５，２６が噛み合い切ると、上係合爪３３が上係合穴３２に嵌まり込む。背板６を取り外す場合は、まず、上係合爪３３を上向き動させて上係合穴３２との係合を解除し、それから背板６を持ち上げて、第１係合爪２５と第２係合爪２６との係合を解除したら良い。
【００３９】
(3).ショルダーレスト
次に、ショルダーレスト１４の構造及び取付け手段を説明する。図９に示すように、ショルダーレスト１４は、前面にクッション３５が張られたシェル体（インナーシェル）３６と、シェル体３６の後ろに配置したショルダーフレーム３７とを有しており、シェル体３６はショルダーフレーム３７に取り付けられている。クッション３５とシェル体３６との全体はクロスで覆われている。なお、ショルダーフレーム３７に代えて、シェル構造の支持体を採用することも可能である。
【００４０】
例えば図１０〜１１に明示するように、ショルダーフレーム３７は前後に開口しており、その下部を構成するロアメンバー３７ａに既述の足部１５を下向き突設している。足部１５は、バックフレーム５のアッパーフレーム９に手前から重なる重合部３８を有しており、重合部３８に、アッパーフレーム９のポケット部２７に当接又は近接する金具保持部３９が一体に繋がっている。図９に示すように、バックフレーム５のアッパーフレーム９における切欠き部１２には前向き開口溝４０が形成されている一方、重合部３８の後面には、アッパーフレーム９の前向き開口溝４０に嵌合する突部３８ａが形成されている。
【００４１】
図１１に示すように、重合部３８は前向きに開口した中空構造になっており、その内部には補強リブ４１の群を形成している。金具保持部３９は、重合部３８の前端部とショルダーフレーム３７の下面とに繋がった板状構造になっており、金具保持部３９の下端には後ろ向きのリップ３９ａを一体に形成している。
【００４２】
ショルダーレスト１４の取付けには、金属板製の金具４２が使用される。金具４２は、金具保持部３９の後面に重なる第１部分４２ａと、ポケット部２７に手前から重なる第２部分４２ｂと、これらを繋ぐ連結部４２ｃとを有しており、このため平面視でクランクの形態になっている。第１部分４２ａには雌ねじ穴４３が空いており、この雌ねじ穴４３に手前から第１ビス４４をねじ込むことにより、足部１５が金具４２に固定（締結）される。従って、足部１５の金具保持部３９にはビス挿通穴４５が空いている。
【００４３】
他方、金具４２の第２部分４２ｂにはビス挿通穴４６が空いており、第２ビス４７をポケット部２７に設けたナット４８（図１１参照）にねじ込むことにより、金具４２がアッパーフレーム９に固定される。金具４２の第２部分４２ｂにはビス挿通穴４９が空いている。このように、ショルダーレスト１４の足部１５は、金具４２を介してバックフレーム５のアッパーフレーム９に固定されている。なお、ポケット部２７はアッパーフレーム９の厚肉部９ａに設けているので、強度面で優れている。
【００４４】
例えば図１２（Ａ）に示すように、足部１５における金具保持部３９の付け根に、台形状の突起５０を設けている一方、金具４２における第１部分４２ａの先端には突起５０と嵌合する凹溝５１を形成しており、このため金具４２はしっかりと位置決めされる。また、金具４２は、金具保持部３９の下端に設けた後ろ向きのリップ３９ａで下向き動が規制されており、このため、金具４２は金具保持部３９にガタ付き不能に保持されている。
【００４５】
足部１５の重合部３８がアッパーフレーム９の前向き開口溝４０に嵌合しているため、金具４２を介しての固定でありながら、ショルダーレスト１４はバックフレーム５のアッパーフレーム９に強固に固定されている。図９に示すように、足部１５の下面はアッパーフレーム９の下面と略同じ高さになっている。このため、足部１５が露出して美観を悪化させることは全くない。
【００４６】
図９に示すように、足部１５の重合部３８は、背板６のアッパーメンバー１７とバックフレーム５のアッパーフレーム９とで前後から挟まれている。このため、足部１５はアッパーフレーム９に対してより一層強固に固定されている。なお、表皮材７の上端には上部縁材５２が固定されている一方、背板６のアッパーメンバー１７には後ろ向きに開口した長溝５３が形成されており、長溝５３に上部縁材５２を挿入している。そして、長溝５３の開口縁（リブの後端）に補強リブ４１の前端を当てている。
【００４７】
(4).ハンガーの取付け
図８，１３に示すように、バックフレーム５のアッパーフレーム９には衣類用のハンガー５５を取り付けることができる。ハンガー５５は支柱５５ａを有するＴ形の形態を成しており、ホルダー装置５６を介してアッパーフレーム９に取付けられる。図１３（Ｂ）に示すように、支柱５５ａは前向きに開口した平断面略コの字形の形態を成しており、左右両側部は蟻溝５７になっている。
【００４８】
他方、図１３に示すように、ホルダー装置５６は、バックフレーム５のアッパーフレーム９に手前から嵌合するフロント部材５８と、アッパーフレーム９に後ろから嵌合するリア部材５９と、リア部材５９に後ろから嵌め込み装着された操作部材６０とを有しており、フロント部材５８とリア部材５９とは、前後方向から重ね合わせると爪の噛み合いによって一体化する。
【００４９】
リア部材５９の左右両側部とハンガー５５における支柱５５ａの蟻溝５７とが嵌まり合うことにより、ハンガー５５はリア部材５９に昇降可能に保持されている。また、操作部材６０には、後ろ向きに突出した係止爪６１を有する操作片６２が下向きに延びるように形成されている一方、ハンガー５５における支柱５５ａのうち下端寄り部位には、係止爪６１が当接し得る第１突起６３と第２突起６４とが上下に離反して形成されている。
【００５０】
上側に位置した第１突起６３は、ハンガー５５を上昇位置に保持するためのものであり、下側に位置した第２突起６４は、ハンガー５５の抜け防止のためのものである。操作片６２を指で手前に押すと、両突起６３，６４に対する係止爪６１の引っ掛かりを阻止することができ、従って、ハンガー５５を押し下げたり抜き外したりすることができる。
【００５１】
ホルダー装置５６はバックフレーム５のアッパーフレーム９を抱持しているので、ハンガー５５の取付けを許容するためには、アッパーフレーム９の左右中間部の周囲にはホルダー装置５６の存在を許容する空間が必要である。そこで、例えば図８に示すように、ショルダーフレーム３７の足部１５を左右に分離してその間にセンター空間６５を形成すると共に、ショルダーフレーム３７を構成するロアメンバー３７ａに、センター切欠き部６６が形成されている。図１４，１５に示すように、センター切欠き部６６の箇所において、ショルダーフレーム３７のロアメンバー３７ａは手前が段落ちした側面視略クランク形状になっている。
【００５２】
ショルダーレスト１４を取り付けてハンガー５５を取付けない場合、左右足部１５の間のセンター空間６５はアッパーフレーム９と背板６とで覆われるが、センター切欠き部６６は後ろ向きに開口したままになる。そこで、図１４，１５に示すように、ハンガー５５の不使用時にはセンター切欠き部６６をカバー６７で後ろから塞いでいる。カバー６７の背面は、ショルダーフレーム３７におけるロアメンバー３７ａの背面と略同一面を成すプロフィールになっている。
【００５３】
カバー６７の上端部には上部前向き板部６８を形成しており、これをショルダーフレーム３７におけるロアメンバー３７ａの後部下面に重ねている。また、カバー６７の下端には、アッパーフレーム９に重なる下部前向き板部６９を形成し、この下部前向き板部６９の前端に、アッパーフレーム９に引っ掛かる下係合爪６９ａを形成している。下部前向き板部６９は左右中間部に位置しており、その左右両側には補助支持板７０を前向き突設している。
【００５４】
カバー６７の左右両側部にはサイド係止板７１を前向きに突設し、サイド係止板７１の前端に外向きに突出したサイド係合爪７１ａを形成している。他方、図１５に示すように、ショルダーフレーム３７におけるロアメンバー３７ａのセンター切欠き部６６の左右内側面には、サイド係合爪７１ａが引っ掛かり係合する係合段部７２を形成している。
【００５５】
カバー６７は、後ろからある程度の力を掛けて押し込むと、センター切欠き部６６に取付けられる。また、取り外す場合は、例えば、アッパーフレーム９の手前に指先を入れて、下部前向き板部６９を押し上げつつ後ろに押しやったらよい。
【００５６】
(5).まとめ
以上のとおり、ショルダーレスト１４の足部１５は背もたれ４の内部に隠れているので、足部１５が露出することによって体裁が悪くなるといった問題は全くない。また、足部１５は人目に触れないため、強度等の機能面だけを考慮して設計することができる。そして、ショルダーレスト１４の取付け・取り外しは背板６を取り外した状態で行うものであるため、ビス４４，４７を使用した強固な締結構造を簡単に採用できるのである。背板６はバックフレーム５にビス止めすることも可能であるが、本実施形態のように係合爪を使用した嵌め込み方式を採用すると、取付け・取り外しの作業性に優れている。
【００５７】
ビスは足部１５やバックフレーム５に直接ねじ込むことも可能であるが、本実施形態のようにクランク式等の金具３９やナット４８を使用すると、ショルダーフレーム３７やバックフレーム５が樹脂製であっても強固に締結できる利点がある。
【００５８】
(6).その他
本願発明は、上記の実施形態の他にも様々に具体化できる。例えば、バックサポートはフレーム構造である必然性はなく、シェル構造であってもよい。バックサポートが実施形態のようなフレーム構造である場合、左右サイドフレームを繋ぐ横長の中間メンバーを設けたり、アッパーフレームとロアフレームとを繋ぐ縦長の中間メンバーを設けたりすることも可能である。
【００５９】
足部は、その下方又は背もたれの外周からの工具の操作でバックサポートに固定することも可能である。例えば、実施形態のようにバックサポートがアッパーフレームを有する場合を例にとると、足部に、アッパーフレームの下面に重なる下片を有する金具を固定しておき、金具の下片をビスでアッパーフレームに固定したら良い（この場合は、ビスはアッパーフレームにねじ込むことも可能であるが、アッパーフレームに設けたポケット部にナットを配置し、このナットにねじ込むのが好ましい。）。
【００６０】
また、バックサポートの上部に後ろ向きや横向きに開口したビス挿通穴を設け、これに挿通したビスで足部を固定することも可能である。フロントサポートの上部にレンチ挿入穴を設け、このレンチ挿入穴からビスを回転操作することで、足部をバックサポートに固定したり取り外したりすることも可能である。更に、フロントサポートと足部とバックサポートとを、ビス（及びナット）で共締めすることも可能である。
【００６１】
また、本願発明はヘッドレストにも適用できる。ヘッドレストにしてもショルダーレストにしても、その構造には限定はないのであり、例えば、上記した実施形態のシェル体に足部を形成することも可能である。ショルダーフレームがない単一構造としたり、フレーム体にメッシュを張った構造としたりすることも可能である。足部は、例えば背もたれの左右全長に近い状態に一連に長く延びる形態としたり、左右に飛び飛びで多数存在する形態としたりするなど、必要に応じて様々に具体化できる。
【産業上の利用可能性】
【００６２】
本願発明は、椅子に適用して有用性を発揮する。従って産業上利用できる。
【符号の説明】
【００６３】
４  背もたれ
５  バックサポートの一例としてのバックフレーム
６  フロントサポートの一例としての背板
８  バックフレームのサイドフレーム
９  バックフレームのアッパーフレーム
１２  切欠き部
１３  上部空所
１４  ショルダーレスト（オプション品）
１５  足部
１６  サイドフレーム
１７  アッパーフレーム
１８  ロアフレーム
３７  ショルダーレストを構成するショルダーフレーム
３８  重合部
３８ａ  突部
４０  前向き開口溝
４２  金具
４２ａ  第１部分
４２ｂ  第２部分
４３  雌ねじ穴
４４，４７  ビス
４８  ナット
５５  ハンガー
５６  ホルダー装置
６５  センター空間
６６  センター切欠き部
６７  カバー
【図１】
0005784886.tif 000002
【図２】
0005784886.tif 000003
【図３】
0005784886.tif 000004
【図４】
0005784886.tif 000005
【図５】
0005784886.tif 000006
【図６】
0005784886.tif 000007
【図７】
0005784886.tif 000008
【図８】
0005784886.tif 000009
【図９】
0005784886.tif 000010
【図１０】
0005784886.tif 000011
【図１１】
0005784886.tif 000012
【図１２】
0005784886.tif 000013
【図１３】
0005784886.tif 000014
【図１４】
0005784886.tif 000015
【図１５】
0005784886.tif 000016